(57)【特許請求の範囲】
【請求項１】
固定子巻線を巻装した固定子鉄心の外周に設けた切り欠き部に電気絶縁性の端子ケースを固定し、かつ、この端子ケースに固定子巻線の巻線端と安全保護装置用リード線を電気的に接続する複数の接続端子を個別に収納するとともに、この端子ケースに前記固定子巻線に対向した位置に安全保護装置および安全保護装置用リード線装着用の収納部を設け、この収納部に安全保護装置と安全保護装置用リード線を収納した電動機の固定子であって、固定子鉄心の外周に設けた切り欠き部に端子ケースを固定する際に、端子ケースに段差を有するスライド部を設けて、複数回に分けて挿入し固定することを特徴とする電動機の固定子。
【発明の詳細な説明】
【０００１】
【産業上の利用分野】
本発明は、固定子巻線の巻線端と電源用リ−ド線と安全保護装置用リ−ド線の接続と安全保護装置の設置が容易に行なえる端子ケ−スを備えた電動機の固定子に関するものである。
【０００２】
【従来の技術】
従来から固定子には、異常時の安全保護のため安全保護装置を取り付ける必要があり、固定子巻線に安全保護装置を固定用結束ハンド等により固定する構造が多く用いられている。
以下図面を参照しながら、上述した従来の固定子巻線における安全保護装置の取付構造の一例について説明する。
図８は従来の安全保護装置を備えた固定子を示すもので、５は外周部に切り欠き部７を設けた固定子鉄心、４はこの固定子鉄心に巻装された固定子巻線、１は電気絶縁性の熱可塑性又は熱硬化性樹脂で一体成形されている端子ケ−スで、前記固定子巻線にサ−モスタット等の安全保護装置１５を結束バンド２１や結束糸２２等にて固定する。
【０００３】
また、固定子巻線の巻線端８又は安全保護装置用リ−ド線１３と電源用リ−ド線１７とを接続端子９にて接続し、前記端子ケ−スに複数の接続端子を保持し、ホットメルト等の絶縁樹脂２３にて接続端子を完全に覆って絶縁するとともに、接続端子の移動を阻止して固定するとともに、端子ケ−スは前記固定子鉄心の切り欠き部７に挿入して固定していた。
以上の様な構成において固定子巻線４に異常が発生した時、固定子巻線４に固定された安全保護装置１５が固定子巻線４の温度上昇により作動し、燃焼等の異常事態を防止する機能を持たしていた。
【０００４】
【発明が解決しようとする課題】
しかしながら従来例の様に端子ケ−スと安全保護装置とは別置きのため、固定子巻線は所定寸法内におさめる必要があり、安全保護装置を取り付ける前に固定子巻線の取り付け箇所部の巻線高さの整形修正を行わねばならず、又結束バンド等にて安全保護装置の固定子巻線への固定には熟練が必要であり、工程の作業性が悪かった。
一方、安全保護装置の取り付け箇所の巻線高さの整形修正により固定子巻線にレア−ショ−ト等が発生したり、又結束バンド等による局部的な力により、安全保護装置が誤動作したり、巻線が極めて細いためこれを損傷するという品質的問題点を有していた。
本発明はかかる従来の課題を解消するためになされたもので、巻線端と電源用リ−ド線と安全保護装置との接続は接続端子にて機械的に簡単に出来るとともに、安全保護装置の取り付けも短時間に簡単に行なうことができ、製造工程の簡略化とレア−ショ−ト及び安全保護装置の誤動作等の品質的問題を低減して信頼性の向上とコストの低減をともに達成できる電動機の固定子を得ることを目的とする。
【０００５】
【課題を解決するための手段】
この課題を解決するために、この発明に係る電動機の固定子は、接続端子にて巻線端とはヒュ−ジングにて保持固定し、一方電源用リ−ド線は雌型端子によりＬ字形状の接続端子の一方に接続保持し、端子ケ−スの収納部に取り付けられたサ−モスタツト等の安全保護装置用リ−ド線も、一方は巻線端ともう一方は、電源用リ−ド線とを端子ケ−スに収納される接続端子とにより接続保持される構造となっている。
また、安全保護装置の取り付けも、固定子鉄心の外周部に固定した端子ケ−スに固定子巻線と対向した位置に収納部を設け、その収納部に安全保護装置と安全保護装置用リ−ド線を収納固定するという構成になっている。
【０００６】
【作業】
この発明においては、端子ケ−スに収納する接続端子にて固定子巻線の巻線端と電源用リ−ド線と安全保護装置用リ−ド線とを相互接続する。
そして、安全保護装置及び安全保護装置用リ−ド線は、端子ケ−スの収納部に収納固定することにより、従来、固定子巻線へ安全保護装置や安全保護装置用リ−ド線を固定するために使用していた結束バンドや結束糸が不要となり、又従来行っていた固定子巻線を所定寸法内におさめるための、安全保護装置の取り付け箇所部の固定子巻線高さの整形修正工程が不要になる等、その製造工程が簡略化される。
また、端子ケ−スは固定子鉄心の外周に設けた切り欠き部に挿入して保持し、さらにブラケットと固定子鉄心間に挟みつけて固定する。
【０００７】
【実施例】
以下、本発明の構成を図面に示す実施例に基づいて具体的に説明する。
図１は本発明の端子ケ−ス１に端子ケ−スカバ−２を取り付けて、さらにハウジング３を取り付けて一体化した状態を示す側面断面図を示すものである。
端子ケ−ス１は図に示すように固定子巻線４が巻装された固定子鉄心５の外周に設けた切り欠き部に圧入状態で挿入し、固定子鉄心５と固定子を覆うブラケット６とで挟みつけて保持固定する。
【０００８】
図２、図３は、本発明の一実施例における固定子鉄心５の外周に設けた切り欠き部７に端子ケ−ス１を途中まで挿入して保持した状態で固定子巻線よりの巻線端８を端子ケ−スに保持された接続端子９にからめる作業を説明するための要部正面図と要部背面図である。なお、図３では固定子鉄心は図示せず省略しております。
図面で示すように固定子鉄心の切り欠き部７で端子ケ−ス１に設けたスライド部１０のほぼ中間点に設けた段差１１にて保持する構成になっているため端子ケ−スの安定性が良く、この位置にて前記固定子巻線よりの巻線端８を接続端子９にからめてヒュ−ジングにて電気的機械的に圧着固定して接続した後、さらに端子ケ−ス１を固定子鉄心の切り欠き部７に圧入状態で固定子鉄心５の端面まで挿入して固定する構成になっているため圧入後のホ−ルド性が向上する。
【０００９】
図４、図５は、本発明の一実施例における固定子鉄心５の外周に設けた切り欠き部７に端子ケ−ス１を固定した状態を示す要部正面図と要部平面図である。
なお、固定子巻線は図示しておらず、固定子巻線よりの巻線端８は接続端子９にからめる作業を説明するために図示したもので、接続される前の状態である。
端子ケ−ス１に保持された接続端子９に巻線端８を接続した状態で、図２で図示した端子ケ−ス１を固定子鉄心５の端面に当接するまで下方にスライドさせて固定子鉄心の切り欠き部７と端子ケ−スに設けたスライド部１０を合致させる。
【００１０】
図６、図７は、本発明の一実施例における固定子鉄心５に端子ケ−ス１を固定した状態の要部正面図と要部平面図で、図４、図５の図面に安全保護装置と安全保護装置用リ−ド線を追加して図示したものである。
【００１１】
図１〜図７で示すように端子ケ−ス１に固定子巻線よりの巻線端８の接続は絶縁被膜をはく離することなく、直接巻線端をヒュ−ジングにてＬ字形状の導電性の黄銅または銅製の接続端子９に電気的機械的に圧着固定して接続するため作業が簡単に確実にでき自動化がはかれる。
そして、それぞれの複数の接続端子は端子ケ−ス１に設けられた所定箇所に個別に収納保持する。
【００１２】
さらに、接続端子９を覆うように樹脂製の端子ケ−スの左右の端面１２に樹脂製の端子ケ−スカバ−２の内面を当接して下方にスライドさせて結合することにより、端子ケ−ス１に個別に収納された複数の接続端子９の絶縁と固定子巻線よりの巻線端８と接続端子９および安全保護装置用リ−ド線１３と接続端子９の接続部の絶縁ができるとともに、端子ケ−ス１と端子ケ−スカバ−２が結合することにより、端子ケ−スの合致と端子ケ−スの収納部１４に保持されている安全保護装置１５の上面と端子ケ−スカバ−の下端１６とが合致して、安全保護装置の保持固定ができる。
【００１３】
なお、安全保護装置用リ−ド線１３と接続する接続端子９は安全保護装置１５との接続がしやすいように、本実施例のように安全保護装置用リ−ド線のある近辺の接続端子にすると作業性がよく好都合である。
さらに、電源用リ−ド線１７をかしめ等により固定した雌型端子１８をハウジング３に保持するとともに、このハウジングを挿入して雌型端子と前記接続端子９とを結合する構成となっており、巻線端８と電源用リ−ド線１７は接続状態となり導通される。
よって、前記電源用リ−ド線１７を巻線端８と先付けする必要がないため、電源用リ−ド線の接続はハウジングの着脱のみでよいため互換性が保てる。
【００１４】
次に端子ケ−スにおける安全保護装置の取付構造について説明する。
図１および図６、図７において、５は固定子鉄心、４は固定子巻線、１は固定子鉄心に固定された端子ケ−ス、１５は安全保護装置、１３は安全保護装置用リ−ド線である。
１４は固定子巻線に近接して端子ケ−ス１に設けた安全保護装置１５と安全保護装置用リ−ド線１３を収納するための収納部で、安全保護装置用リ−ド線側には安全保護装置用リ−ド線を収納するための空隙部１９を設ける。
以上の構成によれば、端子ケ−スの収納部１４には安全保護装置１５を収納固定するとともに、固定子巻線４の温度を直接感知する安全保護装置１５の感温部が露出できるように固定子巻線４と近接して対向させる箇所は開放状態とし、固定子巻線との間にシリコン等の熱伝導性の良い樹脂２０を注ぎ込んで温度検出精度を良くする。
【００１５】
一方、安全保護装置用リ−ド線１３を収納固定する収納部１４の空隙部１９の固定子巻線側は端子ケ−ス自体を密閉状態とするとともに、安全保護装置１５以外はブラケット６側も固定子巻線４側とともに端子ケ−スカバ−２にて覆われるため密閉状態となるので、安全保護装置用リ−ド線１３が固定子巻線４とは直接接触しない構造となるので、従来例のように安全保護装置１５及び安全保護装置用リ−ド線１３の固定用の結束バンド２１及び結束糸２２が不要となり、また固定子巻線４を所定寸法内におさめるための、固定子巻線４の整形修正工程が不要となる等、製造工程が簡略化される。
【００１６】
また、収納部１４は有底形状のため、安全保護装置用リ−ド線１３は固定子鉄心５と固定子巻線４にも接触しない構造となるため、耐熱性の安全保護装置用リ−ド線も絶縁保護チュ−ブも必要としない。
【００１７】
また、固定子巻線の巻線端８及び安全保護装置用リ−ド線１３は、端子ケ−ス１に収納されているＬ字形状の接続端子９の一端にヒュ−ジングにて接続する構成となっているため、従来のように結束バンドや結束糸にて、安全保護装置や安全保護装置用リ−ド線のそれぞれを固定子巻線に固定する必要がなくなった。
なお、安全保護装置についてはリ−ド線付について説明しましたが、これに限定されることなく要旨を変更しない範囲内において変更できることは勿論である。
【００１８】
【発明の効果】
以上の構成にすると、従来例と比較して次の効果が得られる。
（１）本発明によれば、サ−モスタット等の安全保護装置を取り付けるために端子ケ−スに安全保護装置及び安全保護装置用リ−ド線を収納する収納部を設けて、収納固定する取付構造を採用することにより、固定用の結束バンドや結束糸及び巻線の整形修正工程が不要となる等製造工程の簡略化がはかれると共に、その製造工程の簡略化によるレア−ショ−ト不良及び安全保護装置誤動作等の不良低減を実現することができる。
また、安全保護装置用リ−ド線が固定子鉄心にも固定子巻線にも接触しない構造のため、耐熱製のリ−ド線も絶縁保護チュ−ブも必要としない。
（２）巻線端と安全保護装置用リ−ド線との接続は、巻線端と安全保護装置用リ−ド線を接続端子に接続してヒュ−ジングにて圧着固定でき、また、電源用リ−ド線と接続端子との接続は、雌型端子に電源用リ−ド線を取り付けておき必要な時に雌型端子を接続端子に接続すれば、巻線端と安全保護装置用リ−ド線と電源用リ−ド線は接続できるため、作業が楽にできる。
（３）端子ケ−スに端子ケ−スカバ−を結合することにより、固定子巻線の巻線端と安全保護装置用リ−ド線との接続作業を接続端子にて機械化することができるとともに、この接続部の裸充電部分が露出しないようにでき、また、安全保護装置の保持固定もできる。
以上のように、従来の手作業の必要がなくなるため、品質が安定し機械的に組立が可能となるため、従来の場合と比較して一段とすぐれた効果のある電動機の固定子を提供できる。
【図面の簡単な説明】
【図１】本発明の一実施例における固定子の側面断面図である。
【図２】本発明の一実施例における固定子鉄心の切り欠き部に端子ケ−スを途中まで挿入して保持した状態で固定子巻線よりの巻線端を接続端子にからめる作業を説明するための要部正面図である。
【図３】本発明の一実施例における固定子巻線よりの巻線端を接続端子にからめる作業を説明するための要部背面図である。
【図４】図２で図示した状態にさらに固定子鉄心の端面まで端子ケ−スをスライドさせた状態を示す要部正面図である。
【図５】図２で図示した状態にさらに固定子鉄心の端面まで端子ケ−スをスライドさせた状態を示す要部平面図である。
【図６】本発明の一実施例における固定子鉄心に端子ケ−スを固定した状態の要部正面図である。
【図７】本発明の一実施例における固定子鉄心に端子ケ−スを固定した状態の要部平面図である。
【図８】従来の固定子の平面図である。
【符号の説明】
１    端子ケ−ス
２    端子ケ−スカバ−
３    ハウジング
４    固定子巻線
５    固定子鉄心
６    ブラケット
７    切り欠き部
８    巻線端
９    接続端子
１０    スライド部
１１    段差
１２    端面
１３    安全保護装置用リ−ド線
１４    収納部
１５    安全保護装置
１６    下端
１７    電源用リ−ド線
１８    雌型端子
１９    空隙部
２０    樹脂
２１    結束バンド
２２    結束糸
２３    絶縁樹脂
【図１】
0003719615.tif 000002
【図２】
0003719615.tif 000003
【図３】
0003719615.tif 000004
【図４】
0003719615.tif 000005
【図５】
0003719615.tif 000006
【図６】
0003719615.tif 000007
【図７】
0003719615.tif 000008
【図８】
0003719615.tif 000009